(57)【要約】【課題】読み取った原稿の縮小画像を表示させた状態にて、読み取った原稿に対する原稿の追加をユーザが指示できるようにする。【解決手段】読み取った原稿の各ページのプレビュー画像を生成するプレビュー画像生成部１３と、プレビュー画像と共に原稿に更に別の原稿を追加するための次原稿追加ボタンを操作パネルのプレビュー画面上に表示させるユーザインタフェース処理部１１と、次原稿追加ボタンが押下されると、スキャンを開始させることで読み取られた追加原稿をプレビュー画像が表示されている原稿に追加する原稿追加処理部１４と、を有する。【選択図】図１
2018026658.tif 000002
【特許請求の範囲】
【請求項１】
第１原稿に含まれるページの全部又は一部の縮小画像と共に前記第１原稿に対して第２原稿を追加するための原稿追加用表示部品を合わせて表示手段に表示させるよう制御する表示制御手段を有することを特徴とする画像形成装置。
【請求項２】
前記表示制御手段は、前記原稿追加用表示部品を前記縮小画像のスクロール表示領域に表示させることを特徴とする請求項１に記載の画像形成装置。
【請求項３】
前記原稿追加用表示部品に対するユーザ操作方法に応じた処理の実行を制御する実行制御手段を有することを特徴とする請求項１に記載の画像形成装置。
【請求項４】
前記表示制御手段は、前記第１原稿に対する前記第２原稿の読み込みを完了するための原稿読込完了用表示部品を合わせて前記表示手段に表示させることを特徴とする請求項１に記載の画像形成装置。
【請求項５】
前記表示制御手段は、前記表示手段に表示されている縮小画像間に前記原稿追加指示用表示部品を表示させ、
ユーザにより操作された前記原稿追加用表示部品の表示位置に対応する前記第１原稿の箇所に前記第２原稿を追加するよう処理の実行を制御する実行制御手段を有することを特徴とする請求項１に記載の画像形成装置。
【請求項６】
コンピュータを、
第１原稿に含まれるページの全部又は一部の縮小画像と共に前記第１原稿に対して第２原稿を追加するための原稿追加用表示部品を合わせて表示手段に表示させるよう制御する表示制御手段、
として機能させるためのプログラム。
【発明の詳細な説明】
【技術分野】
【０００１】
本発明は、画像形成装置及びプログラムに関する。
【背景技術】
【０００２】
複合機のスキャナを用いて読み取った原稿のプレビュー画像を即時に生成し、そのプレビュー画像を操作パネルに表示することによって、読取画像をその場で確認させるプレビュー機能が一般に知られている。例えば、原稿束ごとにコピー設定を変えるビルドジョブにおいて、原稿束単位でプレビュー画像を表示する機能を提供する技術が提案されている（例えば、特許文献１）。
【０００３】
プレビュー画像を表示している原稿に対して何らかの理由により原稿の追加が必要であると判断した場合、特許文献1では、プレビュー画像を表示するためのプレビュー画面をいったん閉じ、原稿追加指示画面に切り替えてから所望の原稿を追加していた。
【先行技術文献】
【特許文献】
【０００４】
【特許文献１】特許第４７５９０３８号明細書
【発明の概要】
【発明が解決しようとする課題】
【０００５】
本発明は、読み取った原稿の縮小画像を表示させた状態にて、読み取った原稿に対する原稿の追加をユーザが指示できるようにすることを目的とする。
【課題を解決するための手段】
【０００６】
本発明に係る画像形成装置は、第１原稿に含まれるページの全部又は一部の縮小画像と共に前記第１原稿に対して第２原稿を追加するための原稿追加用表示部品を合わせて表示手段に表示させるよう制御する表示制御手段を有することを特徴とする。
【０００７】
また、前記表示制御手段は、前記原稿追加用表示部品を前記縮小画像のスクロール表示領域に表示させることを特徴とする。
【０００８】
また、前記原稿追加用表示部品に対するユーザ操作方法に応じた処理の実行を制御する実行制御手段を有することを特徴とする。
【０００９】
また、前記表示制御手段は、前記第１原稿に対する前記第２原稿の読み込みを完了するための原稿読込完了用表示部品を合わせて前記表示手段に表示させることを特徴とする。
【００１０】
また、前記表示制御手段は、前記表示手段に表示されている縮小画像間に前記原稿追加指示用表示部品を表示させ、ユーザにより操作された前記原稿追加用表示部品の表示位置に対応する前記第１原稿の箇所に前記第２原稿を追加するよう処理の実行を制御する実行制御手段を有することを特徴とする。
【００１１】
本発明に係るプログラムは、コンピュータを、第１原稿に含まれるページの全部又は一部の縮小画像と共に前記第１原稿に対して第２原稿を追加するための原稿追加用表示部品を合わせて表示手段に表示させるよう制御する表示制御手段、として機能させる。
【発明の効果】
【００１２】
請求項１に記載の発明によれば、読み取った原稿の縮小画像を表示させた状態にて、読み取った原稿に対する原稿の追加をユーザに指示させることができる。
【００１３】
請求項２に記載の発明によれば、原稿追加用表示部品を縮小画像のスクロール表示領域の中に表示させることができる。
【００１４】
請求項３に記載の発明によれば、原稿追加用表示部品に対するユーザ操作方法によって異なる処理を実行することができる。
【００１５】
請求項４に記載の発明によれば、読み取った原稿の縮小画像を表示させた状態にて、読み取った原稿に対する原稿の追加の完了をユーザに指示させることができる。
【００１６】
請求項５に記載の発明によれば、原稿の追加位置をユーザに指定させることができる。
【００１７】
請求項６に記載の発明によれば、読み取った原稿の縮小画像を表示させた状態にて、読み取った原稿に対する原稿の追加をユーザに指示させることができる。
【図面の簡単な説明】
【００１８】
【図１】本発明に係る画像形成装置の実施の形態１を示したブロック構成図である。
【図２】実施の形態１における画像形成装置のハードウェア構成図である。
【図３】実施の形態１におけるプレビュー画面の表示例を示した図である。
【図４】実施の形態２におけるプレビュー画面の表示例を示した図である。
【図５】実施の形態３におけるプレビュー画面の表示例を示した図である。
【図６】実施の形態３におけるプレビュー画面の他の表示例を示した図である。
【図７】実施の形態４におけるプレビュー画面の表示例を示した図である。
【図８】実施の形態４において原稿が追加された後のプレビュー画面の表示例を示した図である。
【発明を実施するための形態】
【００１９】
以下、図面に基づいて、本発明の好適な実施の形態について説明する。
【００２０】
実施の形態１．
図１は、本発明に係る画像形成装置の一実施の形態を示したブロック構成図である。また、図２は、本実施の形態における画像形成装置１０のハードウェア構成図である。画像形成装置１０は、スキャナ機能、コピー機能、プリント機能等各種機能を搭載した複合機であり、コンピュータを内蔵した装置である。図２において、ＣＰＵ２１は、ＲＯＭ３０に格納されたプログラムにしたがってスキャナ２４やプリンタエンジン２６等本装置に搭載された各種機構の動作制御を行う。アドレスデータバス２２は、ＣＰＵ２１の制御対象となる各種機構と接続してデータの通信を行う。操作パネル２３は、ユーザにより入力されたデータや指示を受け付ける入力手段、また情報の表示を行う表示手段でもあるユーザインタフェース手段である。スキャナ２４は、ユーザがセットした原稿を読み取り、電子データとしてＨＤＤ（Ｈａｒｄ  Ｄｉｓｋ  Ｄｒｉｖｅ）２５等に蓄積する。ＨＤＤ２５は、スキャナ２４を使用して読み取った電子文書などを格納する。プリンタエンジン２６は、ＣＰＵ２１で実行される制御プログラムからの指示に従い出力用紙上に画像を印字する。アクセスポイント２７は、アクセスポイント機能を搭載した無線通信手段であり、ユーザが携帯するスマートフォン等のモバイル端末にＷｉ−Ｆｉ  Ｄｉｒｅｃｔ（登録商標）により無線接続する。ネットワークインタフェース（ＩＦ）２８は、ネットワークを接続し、本装置が生成した電子データの送信、本装置宛に送信されてきた電子メールの受信、またブラウザ経由による本装置へのアクセスなどに利用される。ＲＡＭ２９は、プログラム実行時のワークメモリや電子データ送受信時の通信バッファとして利用される。ＲＯＭ３０は、本装置の制御や電子データの送受信に関する各種プログラムが格納されている。各種プログラムが実行されることで後述する各構成要素が所定の処理機能を発揮する。外部メディアインタフェース（ＩＦ）３１は、ＵＳＢメモリ、フラッシュメモリ等の外部メモリ機器とのインタフェースである。ハードウェア構成自体は、従前からある画像形成装置１０を利用して実現してよい。
【００２１】
図１に戻り、本実施の形態における画像形成装置１０は、ユーザインタフェース（ＵＩ）処理部１１、スキャン画像取得部１２、プレビュー画像生成部１３、原稿追加処理部１４、実行制御部１５及び原稿記憶部１６を有している。ユーザインタフェース処理部１１は、操作パネル２３が操作されることで入力されたデータ及び操作指示を受け付け、またプレビュー画像等各種情報の操作パネル２３への表示の制御を行う表示制御手段として機能する。スキャン画像取得部１２は、スキャナ２４により読み取られた原稿の読取画像を取得し、原稿記憶部１６に保存する。プレビュー画像生成部１３は、原稿の読取画像の縮小画像を生成する。原稿追加処理部１４は、先に読み取った原稿（第１原稿）に対してユーザにより追加指示された原稿（第２原稿）を追加する処理を実行する。実行制御部１５は、原稿追加処理部１４による原稿追加処理、プレビュー画像の生成、表示処理等画像形成装置１０における処理の実行を制御する実行制御手段として機能する。
【００２２】
画像形成装置１０における各構成要素１１〜１５は、画像形成装置１０に搭載されているコンピュータと、コンピュータに搭載されたＣＰＵ２１で動作するプログラムとの協調動作により実現される。また、原稿記憶部１６は、画像形成装置１０に搭載されたＨＤＤ２５にて実現される。あるいは、ＲＡＭ２９又は外部にある記憶手段をネットワーク経由で利用してもよい。
【００２３】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００２４】
本実施の形態において特徴的なことは、読取原稿に含まれているページの全部又は一部のプレビュー画像を表示するプレビュー画面上に、プレビュー画像と共に読取原稿に対して原稿を追加するための原稿追加用表示部品を合わせて表示するようにしたことである。これにより、ユーザは、プレビュー画面上の原稿追加用表示部品を選択することで原稿の追加を指示することができるようになるので、プレビュー画面を閉じることなくプレビュー画像を確認しながら原稿の追加を行うことが可能になる。以下、本実施の形態における動作について説明する。
【００２５】
ユーザが複数ページから成る原稿を画像形成装置１０のスキャナ台（図示せず）にセットし、操作パネル２３に表示されているメニュー画面上のスキャン開始ボタンを押下すると、スキャナ２４は、スキャンを開始して原稿を読み取る。スキャン画像取得部１２は、スキャナ２４による原稿の読取りに応じて読取画像を原稿記憶部１６に格納する。
【００２６】
原稿の読取画像が原稿記憶部１６に記憶されると、プレビュー画像生成部１３は、読み取られた原稿に含まれている各ページのプレビュー画像を生成する。そして、ユーザインタフェース処理部１１は、生成されたプレビュー画像を表示するためのプレビュー画面を形成して操作パネル２３に表示させる。
【００２７】
図３は、操作パネル２３に表示される本実施の形態におけるプレビュー画面の表示の一例を示した図である。プレビュー画面におけるプレビュー画像の表示領域３１の上部には、前述した原稿追加用表示部品に相当する次原稿追加ボタン３２が表示される。なお、本実施の形態では、原稿に含まれる全てのページ（８ページ）の一覧が表示領域３１に表示されている例を示しているが、全ページの一覧が表示できない場合には、スクロールボタンを表示したり、操作パネル２３がタッチパネルであればスワイプ操作を受け付けたりすることで、一部のページの一覧をスクロールできるようにしてもよい。このプレビュー画像の表示やスクロール自体は、従前からある技術をそのまま利用してよい。
【００２８】
ユーザが、プレビュー画像が表示されている原稿（以下、「読取原稿」）に対して更に原稿（以下、「追加原稿」）を追加したい場合、追加原稿をスキャナ台にセットし、次原稿追加ボタン３２に対して押下等の所定の操作を行うことで原稿の追加を指示する。この指示操作に応じてスキャナ２４が追加原稿を読み取ると、スキャン画像取得部１２は、上記と同様に追加原稿の読取画像を原稿記憶部１６に格納する。そして、原稿追加処理部１４は、読取原稿の最終ページに続けて追加原稿に含まれている各ページを追加する。このようにして、追加原稿は、読取原稿に自動的に追加され、追加原稿が追加された後の読取原稿のプレビュー画像は、上記と同様に操作パネル２３に表示される。
【００２９】
以上説明したように、本実施の形態によれば、プレビュー画面を閉じることなく読取原稿のプレビュー画像を確認しながら原稿の追加をユーザに指示させることができる。
【００３０】
なお、読み取られた後の追加原稿は、読取原稿である。つまり、例えば８ページの読取原稿は、２ページの追加原稿が追加されることによって１０ページの読取原稿となり、プレビュー画面に表示される。この１０ページとなった読取原稿に対して、更に追加原稿の追加は可能である。例えば、２ページの追加により１０ページとなった読取原稿に対し、４ページの追加原稿がスキャナ台にセットされ次原稿追加ボタン３２が押下されると、読取原稿は、１４ページの読取原稿となってプレビュー画面に表示される。
【００３１】
ところで、図３には、次原稿追加ボタン３２とは別に読取完了ボタン３３を表示領域３１の上部に設けている。次原稿追加ボタン３２は、プレビュー画像の表示領域３１に表示されている読取原稿に対して追加原稿を追加させる指示を受け付けるためのＧＵＩ（Ｇｒａｐｈｉｃａｌ  Ｕｓｅｒ  Ｉｎｔｅｒｆａｃｅ）であるのに対し、原稿読込完了用表示部品として設けられた読取完了ボタン３３は、原稿の追加の終了指示を受け付ける、換言すると読取原稿に対して原稿を追加させるためのスキャナ２４による原稿読取りが完了したことをユーザが画像形成装置１０に知らせるためのＧＵＩである。この読取完了ボタン３３に対する操作により、この時点において読取原稿への原稿追加は終了する。本実施の形態では、読取完了ボタン３３を押下するユーザ操作は、プレビュー画面の表示の終了を兼用しており、このユーザ操作に応じてメニュー画面等所定の画面が操作パネル２３に表示されることになる。
【００３２】
実施の形態２．
図４は、本実施の形態における操作パネル２３に表示されるプレビュー画面の表示例を示した図である。なお、本実施の形態における画像形成装置１０のハードウェア構成及びブロック構成は実施の形態１と同じでよいので説明を省略する。後述する実施の形態においても同様である。
【００３３】
上記実施の形態１では、プレビュー画像の表示領域３１の外部（図１では上部）に次原稿追加ボタン３２を表示するようにしたが、本実施の形態では、プレビュー画像の表示領域３１の中に表示するようにしたことを特徴としている。
【００３４】
プレビュー画像を相対的に大きく形成すると各ページの内容は視認しやすくなるが、その一方、プレビュー画像の表示領域３１を拡張させると次原稿追加ボタン３２の表示スペースが確保できなくなってしまう場合もあり得る。また、近年では、スマートフォン等のモバイル端末を画像形成装置１０のユーザインタフェースとして利用することも可能になってきているが、モバイル端末の画面サイズや形状によっては、プレビュー画像の表示領域３１を拡張しなくても次原稿追加ボタン３２の表示スペースを確保できない可能性も生じうる。そこで、本実施の形態においては、次原稿追加ボタン３２をプレビュー画像の表示領域３１の内部に表示するようにした。
【００３５】
図４に例示したように原稿は表示領域３１に全ページを一度に表示することはできないため、ユーザは、スクロールにより確認したい一部のページのプレビュー画像を表示させることになる。なお、スクロールは、表示領域３１に対するスワイプ操作により行えるようにしてもよい。図４には、読取原稿の最終ページに続けて次原稿追加ボタン３４を表示した例が示されている。本実施の形態では、次原稿追加ボタン３４をページのプレビュー画像と同様の大きさ及び形状で生成、表示するようにしたが、これに限る必要はなく、例えば幅を狭くしてプレビュー画像の表示スペースを確保できるようにするなどして次原稿追加ボタン３４を形成してもよい。
【００３６】
また、図４では操作パネル２３の表示領域３１が横長の場合に、プレビュー画像を横スクロールする場合を例示しているが、操作パネル２３が縦長であってもよい。この場合、プレビュー画像は縦スクロールするようにし、次原稿追加ボタンをプレビュー画像の下に表示するようにしてもよい。このように次原稿追加ボタンを生成、表示することで、プレビュー画像が表示領域に最大限大きく表示される。
【００３７】
ユーザは、原稿を追加したい場合、プレビュー画像をスクロールさせて、図４に例示したように読取原稿の最終ページ直後の次原稿追加ボタン３４を表示させる。読取原稿のページ数が多い場合はスクロールに時間がかかるため、最右端（読取原稿の最終ページ）へスキップするボタンを用意し、操作パネル２３に表示するようにしてもよい。そして、ユーザが次原稿追加ボタン３４を選択すると、原稿追加処理部１４は、読取原稿の最終ページに続けて追加原稿を構成するページを追加する。なお、原稿を追加する処理は実施の形態１と同じでよいので説明を省略する。
【００３８】
なお、本実施の形態では、次原稿追加ボタン３４を読取原稿の最終ページ直後に表示するようにしたが、プレビュー画像の表示領域３１の内部であれば、表示する位置はこれに限る必要はない。プレビュー画像の先頭でもプレビュー画像間でもよい。
【００３９】
また、図４では、次原稿追加ボタン３４を読取原稿の最終ページ直後に表示するようにし、最終ページに続けて追加するようにした。例えば、８ページの読取原稿に対し２ページの追加原稿を追加する場合、追加原稿の２ページは読取原稿の９，１０ページとなる。これに対し、次原稿追加ボタン３４を読取原稿の先頭ページ直前に表示するようにし、先頭ページの前に追加できるようにしてもよい。例えば、８ページの読取原稿に対し２ページの追加原稿を追加する場合、追加原稿の２ページは読取原稿の１，２ページとなり、読取原稿の８ページは３〜１０ページとなる。
【００４０】
なお、読取完了ボタン３３も次原稿追加ボタン３４と同様に、次原稿追加ボタン３４とは異なる表示形態にてプレビュー画像の表示領域３１の内部に表示するようにしてもよい。
【００４１】
実施の形態３．
上記各実施の形態においては、次原稿追加ボタンに対しては基本、押下操作（タップ操作）を想定して説明した。本実施の形態では、次原稿追加ボタンに対するユーザ操作方法に応じた処理を実行するようにしたことを特徴とする。
【００４２】
例えば、初期の表示は実施の形態２において用いた図４と同じでよい。そして、実施の形態２と同様に、ユーザは、次原稿追加ボタン３４をタップ操作することで原稿の追加指示をする。この処理は、実施の形態２と同じでよいので説明を省略する。
【００４３】
また、図５に示したように、ユーザは、矢印で示したように次原稿追加ボタン３４を上方にスワイプアウトすることで原稿の読取完了指示をする。このユーザ操作方法を検出すると、実行制御部１５は、原稿の読取完了を認識する。これにより、実施の形態１において説明したようにメニュー画面等所定の画面が操作パネル２３に表示される。このように、本実施の形態の場合、実施の形態１において説明した読取完了ボタンは不要となる。換言すると、本実施の形態では、次原稿追加ボタン３４を読取完了ボタンと兼用している。
【００４４】
また、図６に示したように最終ページの直後に表示されていた次原稿追加ボタン３４を、原稿を追加したい位置（図６では、７ページ目と８ページ目の間）にドラッグアンドドロップ操作する。これにより、実行制御部１５は、原稿追加処理部１４に、追加原稿をユーザにより指定されたページ間に追加するよう指示する。
【００４５】
本実施の形態によれば、次原稿追加ボタン３４に対する異なるユーザ操作方法を受け付けることにより、他のＧＵＩを用意する必要がなく、表示スペースの省効率化を図ることが可能になる。
【００４６】
なお、本実施の形態の場合、１つの次原稿追加ボタン３４に対するユーザ操作によって異なる処理が実行されることになるので、誤操作による意図しない処理の実行を防ぐため、次原稿追加ボタン３４に対する操作後に処理内容の確認画面を操作パネル２３に表示するようにしてもよい。
【００４７】
実施の形態４．
上記各実施の形態においては、次原稿追加ボタンをただ１つ表示し、次原稿追加ボタンが表示されている位置に追加原稿が追加されるようにした。本実施の形態では、ユーザインタフェース処理部１１は、操作パネル２３に表示されているプレビュー画像間それぞれに次原稿追加ボタンを表示させ、実行制御部１５は、ユーザにより操作された次原稿追加ボタンの表示位置に対応する読取原稿の箇所に追加原稿を追加するよう原稿追加処理部１４に処理させる。図７は、本実施の形態におけるプレビュー画面の表示例を示した図である。図７に示したように、各次原稿追加ボタン３５ａ，３５ｂ，３５ｃはプレビュー画像の間に表示される。
【００４８】
ユーザが追加原稿をスキャナ台にセットし、プレビュー画面上の次原稿追加ボタン３５ｃを押下したとすると、原稿追加処理部１４は、次原稿追加ボタン３５ｃの表示位置に対応した箇所に追加原稿を追加する。この追加後におけるプレビュー画面の表示例を図８に示す。図８における表示例によると、追加原稿は２ページであることがわかる。図７との対比がしやすいようにページ番号は振り直していないが、この原稿の追加により、追加原稿の１，２ページ目は読取原稿の８，９ページ目となり、追加前の読取原稿の８ページ目は１０ページ目となる。
【００４９】
なお、追加原稿が複数枚あり、追加したい箇所が複数個所である場合、指定した次原稿追加ボタン毎に何枚の原稿を追加するかを指定可能なようにしてもよい。
【００５０】
なお、上記各実施の形態では、原稿のスキャナ２４による読取画像のプレビュー画像をプレビュー画面に表示させる場合を例にして説明したが、プレビュー画面への表示対象とするのは、必ずしもスキャン画像に限定する必要はなく、ＨＤＤ２５に蓄積されている画像又はネットワークを介して外部から取得した画像、外部メモリ機器から取得した画像を対象としてもよい。また、上記各実施の形態を複数組み合わせることで、プレビュー画像をプレビュー画面に表示させてもよい。
【符号の説明】
【００５１】
１０  画像形成装置、１１  ユーザインタフェース（ＵＩ）処理部、１２  スキャン画像取得部、１３  プレビュー画像生成部、１４  原稿追加処理部、１５  実行制御部、１６  原稿記憶部、２１  ＣＰＵ、２２  アドレスデータバス、２３  操作パネル、２４  スキャナ、２５  ハードディスクドライブ（ＨＤＤ）、２６  プリンタエンジン、２７  アクセスポイント、２８  ネットワークインタフェース（ＩＦ）、２９  ＲＡＭ、３０  ＲＯＭ、３１  外部メディアインタフェース（ＩＦ）。
【図１】
2018026658.tif 000003
【図２】
2018026658.tif 000004
【図３】
2018026658.tif 000005
【図４】
2018026658.tif 000006
【図５】
2018026658.tif 000007
【図６】
2018026658.tif 000008
【図７】
2018026658.tif 000009
【図８】
2018026658.tif 000010